(57)【要約】【課題】空調システムの試運転等の診断作業において、作業者の負担を軽減することができる空調システム診断装置を提供する。【解決手段】通信部１０１は、ネットワーク２０上を流れる、リモコンから空調機に対して送信された操作制御信号を傍受する。また、通信部１０１は、制御対象の空調機を所定の動作状態に移行させるための運転制御信号を当該空調機に送信する。試運転管理部１０２は、通信部１０１により傍受された操作制御信号と、操作分析定義情報１０２１ａと、に基づいて、当該リモコンを操作した作業者の作業状態と、制御対象の空調機と、を特定する。そして、特定した作業状態に基づいて、特定した空調機に対する制御内容を決定し、決定した制御内容に対応する制御信号を通信部１０１に送出する。【選択図】図２
2011141096.tif 000002
【特許請求の範囲】
【請求項１】
複数の機器が所定のネットワークに接続された空調システムを診断するための空調システム診断装置であって、
前記複数の機器には、１又は複数の空調機と、１又は複数のリモコンと、が少なくとも含まれ、
前記ネットワークを介して前記機器間で送受信される制御信号を傍受すると共に、前記空調機を所定の動作状態に移行させるための制御信号を前記ネットワークを介して当該空調機に送信する通信手段と、
前記通信手段により傍受された前記リモコンが送出した制御信号に基づいて、当該リモコンを操作した作業者の作業状態と、制御対象の空調機と、を特定し、特定した前記作業状態に基づいて、特定した前記空調機に対する制御内容を決定し、該決定した制御内容に対応する制御信号を前記通信手段に送出する試運転管理手段と、を備える、
ことを特徴とする空調システム診断装置。
【請求項２】
前記試運転管理手段は、当該リモコンの前記制御信号の送信先を前記制御対象の空調機として特定する、
ことを特徴とする請求項１に記載の空調システム診断装置。
【請求項３】
前記リモコンと前記空調機とを対応付けたシステム構成情報をさらに備え、
前記試運転管理手段は、前記システム構成情報を参照することで、当該リモコンに対応する空調機を前記制御対象の空調機として特定する、
ことを特徴とする請求項１に記載の空調システム診断装置。
【請求項４】
前記通信手段は、さらに、
前記リモコンを所定の動作状態に移行させるための制御信号を前記ネットワークを介して当該リモコンに送信し、
前記試運転管理手段は、さらに、
特定した前記作業状態に基づいて、当該リモコンに対する制御内容を決定し、該決定した制御内容に対応する制御信号を前記通信手段に送出する、
ことを特徴とする請求項１乃至３の何れか１項に記載の空調システム診断装置。
【請求項５】
前記試運転管理手段は、当該リモコンに所定の内容を表示させるための制御信号を前記通信手段に送出する、
ことを特徴とする請求項４に記載の空調システム診断装置。
【請求項６】
前記試運転管理手段は、当該リモコンが備える各種ボタンに対する操作の有効／無効を切り替えるための制御信号を前記通信手段に送出する、
ことを特徴とする請求項４又は５に記載の空調システム診断装置。
【請求項７】
複数の機器が所定のネットワークに接続された空調システムを診断するための空調システム診断装置であって、
前記複数の機器には、１又は複数の空調機が少なくとも含まれ、
前記ネットワークを介して前記各機器の内部状態を受信すると共に、前記空調機を所定の動作状態に移行させるための制御信号を前記ネットワークを介して当該空調機に送信する通信手段と、
前記通信手段により受信された前記空調機の内部状態に基づいて、作業者の作業状態を特定し、特定した前記作業状態に基づいて、当該空調機に対する制御内容を決定し、該決定した制御内容に対応する制御信号を前記通信手段に送出する試運転管理手段と、を備える、
ことを特徴とする空調システム診断装置。
【発明の詳細な説明】
【技術分野】
【０００１】
本発明は、空調システムを診断する技術に関する。
【背景技術】
【０００２】
従来より、空調機の設置時等における試運転等に関する技術が種々提案されている（例えば、特許文献１、特許文献２等）。
【０００３】
特許文献１には、室外機側から試運転に係る作業を行えるようにした空調機が提案されている。また、特許文献２には、室外機又は室内機が内蔵する基板上のテスト用端子を利用することで、専用のスイッチを設けることなく試運転が行える方法が提案されている。
【先行技術文献】
【特許文献】
【０００４】
【特許文献１】特許第３０７１１３５号公報
【特許文献２】特許第２９１１３４２号公報
【発明の概要】
【発明が解決しようとする課題】
【０００５】
ところで、近年では、ビル等において、複数の空調機が所定のネットワークで接続された空調システムを導入するケースも珍しくない。かかる空調システムにおいても、当該空調システムの導入直後や、新たな空調機の増設、交換等があった際には、各空調機を試運転させ、その動作状態を確認する診断作業が必要となる。
【０００６】
従来、このような空調システムにおいて、試運転等の診断作業の効率性がよくないという問題があった。例えば、上記特許文献１に開示される技術を採用した場合、実際に動作する室内機から離れた場所にある制御装置（例えば、室外機）を操作する必要がある。つまり、室内機の風の出具合や動作音等を作業者が確認するには、室外機と室内機の設置場所を行き来しなくてはならない。この点に関し、特許文献１では、診断結果が室外機側で報知されるため、作業者は、室内機側に行って確認する必要はない旨を記載している。
【０００７】
しかしながら、室内機の動作状態を正確に把握するためには、当該室内機からの風の温度や風量及び動作音等を作業者が実際にチェックする必要があり、特許文献１の提案技術によって、十分な診断が行えるとは必ずしも言えない。
【０００８】
一方、上記特許文献２に開示される技術では、室内機側から操作できるものの、各空調機の診断毎に、基板上のテスト用端子に信号を入力するための準備が必要であり、手間がかかる。また、予め出荷時に設定された固定内容の簡易な試運転動作しか行うことができないという課題もある。
【０００９】
本発明は、上記従来の課題を解決するためになされたものであり、空調システムの試運転等の診断作業において、作業者の負担を軽減することができる空調システム診断装置を提供することを目的とする。
【課題を解決するための手段】
【００１０】
上記目的を達成するため、本発明に係る空調システム診断装置は、
複数の機器が所定のネットワークに接続された空調システムを診断するための空調システム診断装置であって、
前記複数の機器には、１又は複数の空調機と、１又は複数のリモコンと、が少なくとも含まれ、
前記ネットワークを介して前記機器間で送受信される制御信号を傍受すると共に、前記空調機を所定の動作状態に移行させるための制御信号を前記ネットワークを介して当該空調機に送信する通信手段と、
前記通信手段により傍受された前記リモコンが送出した制御信号に基づいて、当該リモコンを操作した作業者の作業状態と、制御対象の空調機と、を特定し、特定した前記作業状態に基づいて、特定した前記空調機に対する制御内容を決定し、該決定した制御内容に対応する制御信号を前記通信手段に送出する試運転管理手段と、を備える、ことを特徴とする。
【００１１】
また、本発明の他の観点に係る空調システム診断装置は、
複数の機器が所定のネットワークに接続された空調システムを診断するための空調システム診断装置であって、
前記複数の機器には、１又は複数の空調機が少なくとも含まれ、
前記ネットワークを介して前記各機器の内部状態を受信すると共に、前記空調機を所定の動作状態に移行させるための制御信号を前記ネットワークを介して当該空調機に送信する通信手段と、
前記通信手段により受信された前記空調機の内部状態に基づいて、作業者の作業状態を特定し、特定した前記作業状態に基づいて、当該空調機に対する制御内容を決定し、該決定した制御内容に対応する制御信号を前記通信手段に送出する試運転管理手段と、を備える、ことを特徴とする。
【発明の効果】
【００１２】
本発明によれば、空調システムの診断作業において、作業者の負担を軽減することができる。
【図面の簡単な説明】
【００１３】
【図１】本発明の実施形態１に係る空調システム診断装置を適用する空調システムの全体構成を示す図である。
【図２】図１の空調システム診断装置の機能構成を示すブロック図である。
【図３】操作分析定義情報の一例を示す図である。
【図４】運転制御定義情報の一例を示す図である。
【図５】表示制御定義情報の一例を示す図である。
【図６】シーケンス定義情報の一例を示す図である。
【図７】シーケンス管理情報の一例を示す図である。
【図８】実施形態１における診断処理の手順を示すフローチャートである。
【図９】空調システムの設置態様の一例を示す図である。
【図１０】リモコンの外観の一例を示す図である。
【図１１】本発明の実施形態２に係る空調システム診断装置を適用する空調システムの全体構成を示す図である。
【図１２】図１１の空調システム診断装置の機能構成を示すブロック図である。
【図１３】状態分析定義情報の一例を示す図である。
【図１４】実施形態２における診断処理の手順を示すフローチャートである。
【図１５】実施形態２におけるシーケンス定義情報の一例を示す図である。
【発明を実施するための形態】
【００１４】
以下、本発明の実施形態に係る空調システム診断装置について図面を参照して詳細に説明する。
【００１５】
（実施形態１）
図１は、実施形態１に係る空調システム診断装置を適用する空調システムの全体構成を概略的に示す図である。この空調システムは、例えば、オフィスビルに導入され、図１で示されるように、複数の空調機（空調室内機）３０と、各空調機３０に対応する複数のリモコン４０と、から構成され、各空調機３０及び各リモコン４０は、例えば、ＬＯＮＷＯＲＫＳ（登録商標）等のネットワーク技術で構築されたネットワーク２０に接続されている。なお、図示はしないが、ネットワーク２０には、各空調機３０に対応する１又は複数の空調室外機も接続されている。
【００１６】
空調システム診断装置１０は、当該空調システムを診断する際に使用される装置である。具体的には、空調システム診断装置１０は、当該空調システムの導入直後や、新たな空調機の増設、交換等があった際、あるいは定期的なメンテナンス等により、各空調機３０を試運転させ、その動作状態を確認するために使用される装置である。空調システム診断装置１０は、作業者等によって、適切な場所（例えば、バックヤード等）に設置され、ネットワーク２０に接続されて使用される。
【００１７】
空調システム診断装置１０は、ハードウェア的には、何れも図示しないが、制御装置（ＣＰＵ、ＲＯＭ、ＲＡＭ等から構成される。）、外部記憶装置（例えば、読み書き可能な不揮発性の半導体メモリやハードディスクドライブ等）、所定の通信インタフェース等から構成される。図２で示されるように、空調システム診断装置１０は、機能的には、他機器（空調機３０、リモコン４０）との間でデータ通信を行う通信部１０１と、他機器の制御を行う試運転管理部１０２と、を備える。空調システム診断装置１０が実行する診断処理（詳細は後述する）は、ＣＰＵ等がＲＯＭ又は外部記憶装置に記憶されている所定のプログラムを実行することで実現する。
【００１８】
通信部１０１は、機器間通信傍受部１０１１と、制御信号送信部１０１２と、を備える。機器間通信傍受部１０１１は、リモコン４０と空調機３０間で行われる通信を傍受し、傍受した通信内容（後述する操作制御信号）を試運転管理部１０２に供給する。制御信号送信部１０１２は、試運転管理部１０２から送出された制御信号（空調機３０又はリモコン４０の動作を制御するための制御信号）を対応する機器（空調機３０又はリモコン４０）に送信する。
【００１９】
試運転管理部１０２は、シーケンス管理部１０２０と、作業分析部１０２１と、空調機制御部１０２２と、リモコン制御部１０２３と、を備える。作業分析部１０２１は、機器間通信傍受部１０１１から供給された通信内容（具体的には、リモコン４０から対応する空調機３０への操作制御信号）と、操作分析定義情報１０２１ａ（図３参照）と、に基づいて、診断対象としている機器（即ち、何れかのリモコン４０及び空調機３０。以下、作業対象という。）と、当該作業者が作業準備を完了しているか、あるいは確認作業を完了しているか等を示す状態（作業状態）を取得する。作業分析部１０２１は、取得した上記の作業対象及び作業状態をシーケンス管理部１０２０に供給する。
【００２０】
操作分析定義情報１０２１ａは、リモコン４０から空調機３０に送信された操作制御信号から、作業者の作業状態を取得するために、作業者分析部１０２１によって参照されるデータテーブルであり、図３に示すように、作業者の作業状態と、それに対応する操作制御信号と、が予め記述されている。
【００２１】
空調機制御部１０２２は、シーケンス管理部１０２０から供給された当該シーケンスの制御定義の制御状態（図６参照。詳細は後述する。）及び作業対象の空調機３０のＩＤと、運転制御定義情報１０２２ａと、に基づいて、空調機３０を所定の運転状態（動作状態）に変化させるための制御信号（運転制御信号）を決定し、制御信号送信部１０１２に送出する。運転制御定義情報１０２２ａは、診断に必要な運転状態に空調機３０を制御するために、空調機制御部１０２２によって参照されるデータテーブルであり、図４に示すように、空調機３０の運転状態と、その運転状態に変化（移行）させるための１つ以上の運転制御信号と、が予め記述されている。
【００２２】
リモコン制御部１０２３は、シーケンス管理部１０２０から供給された当該シーケンスの制御定義の制御状態（詳細は後述）及び作業対象のリモコン４０のＩＤと、表示制御定義情報１０２３ａと、に基づいて、リモコン４０における表示内容を変化させる制御信号（表示制御信号）を決定し、制御信号送信部１０１２に送出する。表示制御定義情報１０２３ａは、診断おける試運転の進行状態に合わせてリモコン４０の表示内容を制御するために、リモコン制御部１０２３よって参照されるデータテーブルであり、図５に示すように、リモコン４０の表示状態と、その表示状態に変化（移行）させるための１つ以上の表示制御信号と、が予め記述されている。
【００２３】
シーケンス管理部１０２０は、シーケンス定義情報１０２０ｂ（図６参照）で定義された複数のシーケンスの中から、実行すべきシーケンスを抽出する。また、制御対象となる空調機３０又はリモコン４０と、抽出したシーケンスの制御定義における制御状態を取得する。そして、シーケンス管理部１０２０は、取得した制御状態と、制御対象の空調機３０又はリモコン４０のＩＤと、を空調機制御部１０２２又はリモコン制御部１０２３に供給する。
【００２４】
実行シーケンス状態１０２０ａは、例えば、“待機”や“通常”等、実行中のシーケンスの状態（実行シーケンス状態）を示す変数であり、シーケンス管理部１０２０により更新される。
【００２５】
シーケンス定義情報１０２０ｂは、空調機３０及びリモコン４０を制御するための条件と、その制御内容を決定するために、シーケンス管理部１０２０により参照されるデータテーブルである。図６に示すように、シーケンス定義情報１０２０ｂは、空調機３０及びリモコン４０を制御するための条件を定義した遷移定義と、制御内容を定義した１又は複数の制御定義と、シーケンス管理情報１０２０ｃを更新する際の条件を定義した管理情報更新定義と、がシーケンス毎に定義された構成を有する。
【００２６】
遷移定義は、遷移前の実行シーケンス状態を示す前状態と、遷移するための条件となる作業状態を示す遷移条件と、遷移後の実行シーケンス状態を示す後状態と、から構成される。制御定義は、シーケンス管理情報１０２０ｃにおける制御対象機器（即ち、空調機３０又はリモコン４０）の機器状態と、実行する制御が運転制御（即ち、空調機３０に対する制御）か表示制御（即ち、リモコン４０に対する制御）かを示す制御種別と、実行する制御の内容を示す制御状態と、から構成される。管理情報更新定義は、シーケンス管理情報１０２０ｃにおける制御対象機器の状態を示す更新前状態と、更新後の状態を示す更新後状態と、から構成される。
【００２７】
シーケンス管理情報１０２０ｃは、当該空調システムに存在する複数の機器（空調機３０及びリモコン４０）それぞれの試運転における現在の状態を保持するためのデータテーブルであり、各機器を識別するためのＩＤと、機器種別と、現在の機器状態と、から構成される。
【００２８】
続いて、以上のように構成される本実施形態の空調システム診断装置１０が実行する診断処理について説明する。図８は、実施形態１における診断処理の手順を示すフローチャートである。この診断処理は、作業者によって、空調システム診断装置１０がネットワーク２０に接続され、電源が投入（ＯＮ）されることで開始される。なお、電源が投入されると、通信部１０１の機器間通信傍受部１０１１は、ネットワーク２０を監視して、リモコン４０と空調機３０間で行われる通信の傍受を直ちに開始する。
【００２９】
（ステップＳ１０１）
シーケンス管理部１０２０は、実行シーケンス状態１０２０ａと、シーケンス管理情報１０２０ｃを初期化する。具体的には、シーケンス管理部１０２０は、実行シーケンス状態１０２０ａを“待機”に設定し、シーケンス管理情報１０２０ｃの全機器の機器状態を“未了”及び“非対象”に設定する。
【００３０】
（ステップＳ１０２）
シーケンス管理部１０２０は、シーケンス定義情報１０２０ｂを参照し、遷移定義の前状態と、実行シーケンス状態１０２０ａが示す状態とが一致するシーケンスを抽出する。
【００３１】
（ステップＳ１０３）
作業者分析部１０２１は、機器間通信傍受部１０１１から、リモコン４０が空調機３０に送信した操作制御信号を取得する。
（ステップＳ１０４）
作業者分析部１０２１は、操作分析定義情報１０２１ａを参照して、取得した操作制御信号に対応する作業状態を取得する。また、取得した操作制御信号の送信元の機器（即ち、何れかのリモコン４０）及び送信先の機器（即ち、何れかの空調機３０）を作業対象として特定する。作業対象として特定された機器のシーケンス管理情報１０２０ｃの機器状態は、シーケンス管理部１０２０により、“対象”に更新される。
【００３２】
（ステップＳ１０５）
シーケンス管理部１０２０は、作業者分析部１０２１により取得された作業状態と、ステップＳ１０２で抽出したシーケンスの遷移条件とが一致するか否かを判定する。その結果、一致する場合には、ステップＳ１０６〜Ｓ１１３の処理を実行する。
（ステップＳ１０６）
シーケンス管理部１０２０は、当該シーケンスに定義された１以上の制御定義毎に、以下の処理を順に実行する。
【００３３】
（ステップＳ１０７）
シーケンス管理部１０２０は、当該制御定義の制御種別が、“運転”又は“表示”の何れかであるかを判定する。その結果、“運転”である場合には、ステップＳ１０８、Ｓ１０９の処理が実行される。一方、“表示”である場合には、ステップＳ１１０、Ｓ１１１の処理が実行される。
【００３４】
（ステップＳ１０８）
シーケンス管理部１０２０は、シーケンス管理情報１０２０ｃを参照して、その機器状態が、当該シーケンスの制御定義の機器状態と一致する空調機３０を抽出する。
（ステップＳ１０９）
空調機制御部１０２２は、運転制御定義情報１０２２ａを参照して、当該シーケンスの制御定義の制御状態と一致する運転状態に割り当てられた１つ以上の運転制御信号を抽出する。そして、空調機制御部１０２２は、抽出した運転制御信号をステップＳ１０８で抽出した空調機３０を宛先として制御信号送信部１０１２に送出する。制御信号送信部１０１２はネットワーク２０を介して、当該運転制御信号を宛先の空調機３０に送信する。
【００３５】
（ステップＳ１１０）
シーケンス管理部１０２０は、シーケンス管理情報１０２０ｃを参照して、その機器状態が、当該シーケンスの制御定義の機器状態と一致するリモコン４０を抽出する。
（ステップＳ１１１）
リモコン制御手段１０２３は、表示制御定義情報１０２３ａを参照して、当該シーケンスの制御定義の制御状態と一致する表示状態に割り当てられた１つ以上の表示制御信号を抽出する。そして、リモコン制御部１０２３は、抽出した表示制御信号をＳ１１０で抽出したリモコン４０を宛先として制御信号送信部１０１２に送出する。制御信号送信部１０１２はネットワーク２０を介して、当該表示制御信号を宛先のリモコン４０に送信する。
【００３６】
（ステップＳ１１２）
シーケンス管理部１０２０は、シーケンス管理情報１０２０ｃの機器状態が、当該シーケンスの管理情報更新定義の更新前状態で示される状態と一致する機器の機器状態を、当該管理情報更新定義の更新後状態で示される状態に更新する。
（ステップＳ１１３）
シーケンス管理部１０２０は、実行シーケンス状態１０２０ａを、当該シーケンスの遷移定義の後状態で示される状態に更新する。
【００３７】
以降、空調システム診断装置１０の電源がＯＦＦされるまで、必要に応じて、上述の処理が繰り返し実行される。
【００３８】
次に、以上のようにして空調システム診断装置１０で実行される診断処理を具体的な状況を例にして説明する。
【００３９】
この例では、図９に示すように、２階建てのビルにおいて、１階に空調機３０Ａ、２階に空調機３０Ｂが設置され、それぞれ、対応するリモコン４０Ａ及びリモコン４０Ｂが用意されているものとする。
【００４０】
空調機３０Ａ及び３０Ｂは、共に、運転状態（運転・停止）、モード（冷房、暖房、送風）、温度（１６℃〜３１℃）、風量（弱、中、強）、風向（上、中、下、スウィング）等の設定が可能である。また、フィルタの目詰まりを検知すると、それぞれ対応するリモコン４０Ａ及び４０Ｂにフィルタサイン通知を送信する。
【００４１】
リモコン４０Ａ及び４０Ｂには、共に、図１０に示すように、液晶画面４０１、運転ボタン４０２、モードボタン４０３、温度ボタン４０４、風量ボタン４０５、風向ボタン４０６、フィルタ解除ボタン４０７等が前面パネルに設けられ、各ボタンを操作することで、対応する空調機３０Ａ又は３０Ｂの関連付けられた上記の設定を変更することができる。
【００４２】
また、リモコン４０Ａ及び４０Ｂは、それぞれ対応する空調機３０Ａ及び３０Ｂからフィルタサイン通知を受けると、液晶画面４０１に“フィルタ”と表示する。その際、作業者によってフィルタ解除ボタン４０７が押下されると、“フィルタ”の表示を消すと共に、対応する空調機４０Ａ（４０Ｂ）にフィルタ解除通知を送信する。さらに、空調システム診断装置１０から集中制御通知を受けると、液晶画面４０１に“集中管理中”と表示し、全てのボタン操作を無効にする。しかる後、空調システム診断装置１０から集中制御解除通知を受けると、“集中管理中”の表示を消し、全てのボタン操作を有効にする。
【００４３】
また、操作分析定義情報１０２１ａ、運転制御定義情報１０２２ａ、表示制御定義情報１０２３ａ、シーケンス定義情報１０２０ｂの各定義内容は、ぞれぞれ、図３、図４、図５及び図６に示す通りであり、また、空調機３０Ａ及び３０ＢのＩＤは、それぞれ３０Ａ及び３０Ｂであり、リモコン４０Ａ及び４０ＢのＩＤは、それぞれ４０Ａ及び４０Ｂであるものとする。
【００４４】
以上のような状況下において、作業者により、空調システム診断装置１０がネットワーク２０に接続され、電源が投入（ＯＮ）されると診断処理が開始される。
【００４５】
（ステップＳ１０１）
シーケンス管理部１０２０は、実行シーケンス状態１０２０ａ及びシーケンス管理情報１０２０ｃを初期化する。具体的には、実行シーケンス状態１０２０ａを“待機”に設定し、シーケンス管理情報１０２０ｃの全機器の機器状態を“未了”及び“非対象”に設定する。また、機器間通信傍受部１０１１は、リモコン４０Ａ又は４０Ｂからの操作制御信号の取得を開始する。
【００４６】
作業者は、各階の様子を見て、例えば、人が居ない２階に移動し、空調機３０Ｂの吹き出し口位置の確認等の準備が完了したタイミングで、リモコン４０Ｂの運転ボタン４０２を押下する。すると、空調システム診断装置１０では、以下の処理が実行される。
（ステップＳ１０２）
シーケンス管理部１０２０は、シーケンス定義情報１０２０ｂを参照して、遷移定義の前状態が“待機”又は“−”（不問）に設定されているシーケンス（１及び４）を抽出する。ここでは、シーケンス１を例に以降の動作を説明する。
【００４７】
（ステップＳ１０３）
作業者分析部１０２１は、機器間通信傍受部１０１１から、リモコン４０Ｂが空調機３０Ｂに送信した操作制御信号（“運転”）を取得する。
（ステップＳ１０４）
作業者分析部１０２１は、操作分析定義情報１０２１ａを参照して、“運転”を示す操作制御信号に対応する作業状態（“準備完了”）を取得する。また、取得した操作制御信号の送信元のリモコン４０Ｂ及び送信先の空調機３０Ｂを作業対象として特定する。シーケンス管理部１０２０は、シーケンス管理情報１０２０ｃにおける作業対象として特定されたリモコン４０Ｂ及び空調機３０Ｂの機器状態をそれぞれ“対象”に設定する。
【００４８】
（ステップＳ１０５）
シーケンス管理部１０２０は、作業者分析部１０２１により取得された作業状態と、ステップＳ１０２で抽出したシーケンスの遷移条件とが一致するか否かを判定する。ここでは、作業者分析部１０２１により取得された作業状態（“準備完了”）と、シーケンス１の遷移条件とが、一致するため、ステップＳ１０６〜Ｓ１１３の処理が実行される。
（ステップＳ１０６）
シーケンス管理部１０２０は、シーケンス１に定義された３つの制御定義毎に、以下の処理を順に実行する。
【００４９】
（ステップＳ１０７）
シーケンス管理部１０２０は、最初の制御定義の制御種別が、“運転”又は“表示”の何れかであるかを判定する。最初の制御定義の制御種別は“運転”であるため。ステップＳ１０８、Ｓ１０９の処理が実行される。
【００５０】
（ステップＳ１０８）
シーケンス管理部１０２０は、シーケンス管理情報１０２０ｃを参照して、その機器状態が、シーケンス１の制御定義の機器状態（“対象”）と一致する空調機３０Ｂを抽出する。
（ステップＳ１０９）
空調機制御部１０２２は、運転制御定義情報１０２２ａを参照して、シーケンス１の制御定義の制御状態（“通常出力”）と一致する運転状態に割り当てられた５つの運転制御信号を抽出する。そして、空調機制御部１０２２は、抽出したこれらの運転制御信号を空調機３０Ｂを宛先として制御信号送信部１０１２に送出する。制御信号送信部１０１２はネットワーク２０を介して、これらの運転制御信号を宛先の空調機３０Ｂに送信する。その結果、空調機３０Ｂの運転状態が、“通常出力”となる。
【００５１】
２つ目の制御定義では、制御種別が“表示”であるため、ステップＳ１１０、Ｓ１１１の処理が実行される。これにより、リモコン４０Ａの液晶画面４０１には、「他機器実行中」を意味する“集中管理中”が表示される。続く３つ目の制御定義でも、ステップＳ１１０、Ｓ１１１の処理が実行され、これにより、リモコン４０Ｂの液晶画面４０１では、「確認待ち」を意味する“フィルタ”が表示され、且つ、“集中管理中”が表示されない状態となる。
【００５２】
（ステップＳ１１２）
シーケンス管理部１０２０は、シーケンス管理情報１０２０ｃにおける空調機３０Ｂ及びリモコン４０Ｂの機器状態を、シーケンス１の管理情報更新定義の更新後状態で示される状態（“実行中”）に更新する。
（ステップＳ１１３）
シーケンス管理部１０２０は、実行シーケンス状態１０２０ａを、シーケンス１の遷移定義の後状態で示される状態（“通常”）に更新する。
【００５３】
作業者は、リモコン４０Ｂの液晶画面４０１に“フィルタ”と表示されたことを視認すると、空調機３０Ｂの吹き出し口からの風の温度や風量及び動作音等をチェックする。異常が無ければ、リモコン４０Ｂのフィルタ解除ボタン４０７を押下する。このフィルタ解除操作により、リモコン４０Ｂの液晶画面４０１では、“フィルタ”の表示が消されることになる。
【００５４】
また、このフィルタ解除操作により、空調システム診断装置１０は、ステップＳ１０２〜Ｓ１１３の処理を実行する。具体的には、フィルタ解除ボタン４０７の操作による操作制御信号（“フィルタ解除”）から作業者の作業状態（“正常確認”）を取得し、遷移条件を満たしたシーケンス２に従った制御処理を実行する。その結果、空調機３０Ｂの運転状態が“最大出力”となり、リモコン４０Ｂでは、液晶画面４０１に、再度、「確認待ち」を意味する“フィルタ”が表示され、且つ、“集中管理中”が表示されない状態となる。
【００５５】
作業者は、リモコン４０Ｂに再び“フィルタ”と表示されたことを視認すると、空調機３０Ｂの吹き出し口からの風の温度や風量及び動作音等をチェックする。異常が無ければ、リモコン４０Ｂのフィルタ解除ボタン４０７を押下する。このフィルタ解除操作により、リモコン４０Ｂの液晶画面４０１から“フィルタ”の表示が消える。
【００５６】
また、このフィルタ解除操作により、空調システム診断装置１０は、ステップＳ１０２〜Ｓ１１３の処理を実行する。具体的には、フィルタ解除ボタン４０７の操作による操作制御信号（“フィルタ解除”）から作業者の作業状態（“正常確認”）を取得し、遷移条件を満たしたシーケンス３に従った制御処理を実行する。その結果、空調機３０Ｂの運転状態が“終了”となり、リモコン４０Ｂの液晶画面４０１には、「完了」を意味する“集中管理中”が表示され、リモコン４０Ａの液晶画面４０１では、“フィルタ”及び“集中管理中”が表示されない状態（「未了」を意味する。）となる。
【００５７】
作業者は、リモコン４０Ｂの液晶画面４０１に“フィルタ”と表示されず、“集中管理中”が表示されたことを視認すると、空調機３０Ｂの動作確認が完了したと判断する。
【００５８】
次に、空調機３０Ｂの動作確認において、作業者が異常を検知し、リモコン４０Ｂの運転ボタン４０２を押下した場合（即ち、停止操作が行われた場合）の空調システム診断装置１０の動作について説明する。
【００５９】
この際、空調システム診断装置１０は、ステップＳ１０２〜Ｓ１１３の処理を実行する。具体的には、運転ボタン４０２の操作による操作制御信号（“停止”）から作業者の作業状態（“異常検知”）を取得し、遷移条件を満たしたシーケンス４に従った制御処理を実行する。その結果、空調機３０Ｂの運転状態が“終了”となり、リモコン４０Ｂの液晶画面４０１には、「異常検知」を意味する“フィルタ”及び“集中管理中”の両方が表示される。
【００６０】
以上説明したように、本発明の実施形態１に係る空調システム診断装置によれば、既設のリモコンに用意された通常のボタン操作で、対応する空調機を診断に必要となる運転状態に自動設定することができる。したがって、空調機の設置状況に合わせた好適な順序・タイミングで空調システムの診断を容易に行うことができ、作業者の負担を軽減することができる。
【００６１】
例えば、空調機に割り当てられたＩＤの順番ではなく、作業者が設置場所間を移動しやすい順番に診断することができるので、動作確認作業における移動時間の短縮化が図れる。また、一定時間を空けたタイミングではなく、設置場所間の移動が完了したタイミングで作業を即座に開始することができるので、無用な待ち時間が無くなり効率的である。
【００６２】
また、リモコン及び空調機を取り替えることなく、新たに開発された診断アルゴリズムや、新たに制定された法令等に合わせて、運転状態の設定を変更できるので、メンテナンス等にかかる費用の削減にも貢献できる。
【００６３】
また、診断用の運転状態に自動設定するためのボタンや、その運転設定を記憶するメモリをリモコンおよび空調機に用意する必要がないので、リモコンおよび空調機のコストを低減できる。
【００６４】
また、リモコンには、通常の操作向けのボタンのみを設ければよいため、作業者以外の一般の居住者等による誤操作を防止することができる。
【００６５】
また、リモコンの操作により行われる通信から作業状態を分析し、取得するため、例えば、空調機の運転状態に影響を及ぼさないリモコン操作でも、診断用の運転状態の設定を変更するシーケンスを実行することができる。したがって、不要な運転状態を挟まないで済み、スムーズな運転状態遷移を実現できる。
【００６６】
また、試運転の実行状態に合わせてリモコンの表示を変化させるので、設置場所に居ながらに進行状態を確認することができる。
【００６７】
また、試運転の実行状態に合わせてリモコンにおけるボタン操作の有効／無効を変更できる（切り替えることができる）ので、診断作業中の空調機以外の空調機に対応するリモコンでの誤操作を防止できる。
【００６８】
なお、操作分析定義情報１０２１ａ、運転制御定義情報１０２２ａ、表示制御定義情報１０２３ａは、予め設定されているものとしたが、現場の状況に合わせて、それぞれの定義情報の内容を変更するための入力部を空調システム診断装置１０が備えるようにしてもよい。例えば、既設のリモコンのボタン配置が異なる場合には、操作分析定義情報１０２１ａを当該リモコンの種類に合わせて変更することができる。このように各定義情報の内容を適宜変更できるようにすることで、作業者は、より現場の状況に合ったリモコン操作及びリモコン表示にて作業を行うことができる。したがって、作業負担をより軽減することができる。
【００６９】
また、シーケンス定義情報１０２０ｂの遷移定義の遷移条件には、作業者の作業状態のみが設定されていたが、空調システム診断装置１０の構成に空調機診断部を追加し、空調機３０の診断結果も遷移条件に設定できるようにしてもよい。この場合、例えば、空調機診断部により空調機３０の状態が異常であると診断されることで、試運転の実行状態を変化させることができ、その状態をリモコン４０に表示することができる。したがって、作業者は、当該空調機３０に対する自らのチェックのみならず、空調システム診断装置１０による診断の結果も設置場所に居ながらに確認することができる。
【００７０】
また、作業者分析部１０２１は、ネットワーク２０上における操作制御信号の送受信機器を作業対象として特定していたが、作業対象を、リモコン４０と空調機３０の対応付けを含む空調システムの構成情報（システム構成情報）を用いて特定するようにしてもよい。この場合、リモコン４０にて、対応する空調機３０以外と通信を行う操作を行っても、当該リモコン４０に対応付けられた空調機３０に運転状態の設定を変更するシーケンスを実行することができ、不要な運転状態を挟まずに運転状態遷移を実現できる。
【００７１】
（実施形態２）
図１１は、本発明の実施形態２に係る空調システム診断装置を適用する空調システムの全体構成を概略的に示す図である。
【００７２】
図１１で示されるように、本実施形態の空調システム診断装置１０は、複数の空調機（空調室内機）３０と、各空調機３０に対応する複数のリモコン４０と、から構成され、各空調機３０は、例えば、ＬＯＮＷＯＲＫＳ（登録商標）等のネットワーク技術で構築されたネットワーク２０に接続されると共に、ネットワーク２０とは異なるネットワーク５０を介して、それぞれ対応するリモコン４０と通信可能に接続する。なお、図示はしないが、ネットワーク２０には、各空調機３０に対応する１又は複数の空調室外機も接続されている。
【００７３】
空調システム診断装置１０は、実施形態１の空調診断システム装置１０と同様、当該空調システムの診断を行う際に、ネットワーク２０に接続されて使用される装置である。
【００７４】
本実施形態の空調システム診断装置１０は、実施形態１の空調診断システム装置１０と同様のハードウェア構成を備えるが、機能構成に相違がある。図１２に示すように、本実施形態の空調システム診断装置１０は、機器間通信傍受部１０１１（図２参照）の代わりに、機器状態監視部１０１３を備え、また、リモコン制御部１０２３（図２参照）を備えていない構成となっている。
【００７５】
機器状態監視部１０１３は、定期的（例えば、一定時間毎）に、各空調機３０に対して、内部状態（動作状態）を問い合わせる制御信号を送信し、各空調機３０からの応答信号を受信することで、各空調機３０の内部状態を監視する。
【００７６】
また、実施形態１の空調システム診断装置１０では、作業者分析部１０２１は、作業者の作業状態に対して操作制御信号が割り当てられた操作分析定義情報１０２１ａを参照することで、作業状態を取得したが、本実施形態の空調システム診断装置１０では、作業者分析部１０２１は、状態分析定義情報１０２１ｂを参照して、作業者の作業状態を取得する。
【００７７】
状態分析定義情報１０２１ｂは、空調機３０の運転状態の変化から作業者の作業状態を取得するためのデータテーブルであり、図１３に示すように、作業者の作業状態と、それに対応する空調機３０からの上述した応答信号と、が予め記述されている。
【００７８】
図１４は、以上のように構成される本実施形態の空調システム診断装置１０が実行する診断処理の手順を示すフローチャートである。作業者によって、空調システム診断装置１０がネットワーク２０に接続され、電源が投入（ＯＮ）されると、この診断処理が開始される。なお、電源が投入されると、通信部１０１の機器状態監視部１０１３は、ネットワーク２０に接続されている各空調機３０と通信を行い、各空調機３０の内部状態の監視を開始する。
【００７９】
（ステップＳ２０１）
シーケンス管理部１０２０は、実行シーケンス状態１０２０ａと、シーケンス管理情報１０２０ｃを初期化する。具体的には、シーケンス管理部１０２０は、実行シーケンス状態１０２０ａを“待機”に設定し、シーケンス管理情報１０２０ｃの全機器の機器状態を“未了”及び“非対象”に設定する。
【００８０】
（ステップＳ２０２）
シーケンス管理部１０２０は、シーケンス定義情報１０２０ｂを参照し、遷移定義の前状態と、実行シーケンス状態１０２０ａが示す状態とが一致するシーケンスを抽出する。
【００８１】
（ステップＳ２０３）
作業者分析部１０２１は、機器状態監視部１０１３から、空調機３０から送信された応答信号を取得する。
（ステップＳ２０４）
作業者分析部１０２１は、状態分析定義情報１０２１ｂを参照して、取得した応答信号に対応する作業状態を取得する。また、取得した応答信号の送信元の機器（即ち、何れかの空調機３０）を作業対象として特定する。作業対象として特定された機器のシーケンス管理情報１０２０ｃの機器状態は、シーケンス管理部１０２０により、“対象”に更新される。
【００８２】
（ステップＳ２０５）
シーケンス管理部１０２０は、作業者分析部１０２１により取得された作業状態と、ステップＳ２０２で抽出したシーケンスの遷移条件とが一致するか否かを判定する。その結果、一致する場合には、ステップＳ２０６〜Ｓ２１０の処理を実行する。
（ステップＳ２０６）
シーケンス管理部１０２０は、当該シーケンスに定義された１以上の制御定義毎に、以下の処理を順に実行する。
【００８３】
（ステップＳ２０７）
シーケンス管理部１０２０は、シーケンス管理情報１０２０ｃを参照して、その機器状態が、当該シーケンスの制御定義の機器状態と一致する空調機３０を抽出する。
（ステップＳ２０８）
空調機制御部１０２２は、運転制御定義情報１０２２ａを参照して、当該シーケンスの制御定義の制御状態と一致する運転状態に割り当てられた１つ以上の運転制御信号を抽出する。そして、空調機制御部１０２２は、抽出した運転制御信号をステップＳ２０７で抽出した空調機３０を宛先として制御信号送信部１０１２に送出する。制御信号送信部１０１２はネットワーク２０を介して、当該運転制御信号を宛先の空調機３０に送信する。
【００８４】
（ステップＳ２０９）
シーケンス管理部１０２０は、シーケンス管理情報１０２０ｃの機器状態が、当該シーケンスの管理情報更新定義の更新前状態で示される状態と一致する機器の機器状態を、当該管理情報更新定義の更新後状態で示される状態に更新する。
（ステップＳ２１０）
シーケンス管理部１０２０は、実行シーケンス状態１０２０ａを、当該シーケンスの遷移定義の後状態で示される状態に更新する。
【００８５】
以降、空調システム診断装置１０の電源がＯＦＦされるまで、必要に応じて、上述の処理が繰り返し実行される。
【００８６】
次に、以上のようにして、本実施形態の空調システム診断装置１０で実行される診断処理を具体的な状況を例にして説明する。この例では、実施形態１と同様、図９に示すように、２階建てのビルにおいて、１階に空調機３０Ａ、２階に空調機３０Ｂが設置され、それぞれ、対応するリモコン４０Ａ及びリモコン４０Ｂが用意されているものとする。以下、実施形態１の空調システム診断装置１０の動作内容との違いを中心に説明する。
【００８７】
空調機３０Ａ及び３０Ｂは、実施形態１と同様、運転状態（運転・停止）、モード（冷房、暖房、送風）、温度（１６℃〜３１℃）、風量（弱、中、強）、風向（上、中、下、スウィング）等の設定が可能である。リモコン４０Ａ及び４０Ｂも、実施形態１と同様、図１０に示すように、液晶画面４０１、運転ボタン４０２、モードボタン４０３、温度ボタン４０４、風量ボタン４０５、風向ボタン４０６、フィルタ解除ボタン４０７等を前面パネルに設けており、各ボタンを操作することで、対応する空調機３０Ａ又は３０Ｂの関連付けられた上記の設定を変更することができる。
【００８８】
また、運転制御定義情報１０２２ａ、状態分析定義情報１０２１ｂの各定義内容は、ぞれぞれ、図４及び図１３に示す通りであるとする。また、本実施形態では、シーケンス定義情報１０２０ｂは、図１５に示すように定義されているものとする。
【００８９】
以上ような状況下において、作業者により、空調システム診断装置１０が、適切な場所（例えば、バックヤード等）に設置され、ネットワーク２０に接続され、そして、電源が投入（ＯＮ）されると診断処理が開始される。
【００９０】
（ステップＳ２０１）
シーケンス管理部１０２０は、実行シーケンス状態１０２０ａ及びシーケンス管理情報１０２０ｃを初期化する。具体的には、実行シーケンス状態１０２０ａを“待機”に設定し、シーケンス管理情報１０２０ｃの全機器の機器状態を“未了”及び“非対象”に設定する。また、機器状態監視部１０１３は、空調機３０Ａ及び３０Ｂの内部状態の監視を開始する。
【００９１】
作業者は、各階の様子を見て、例えば、人が居ない２階に移動し、空調機３０Ｂの吹き出し口位置の確認等の準備が完了したタイミングで、リモコン４０Ｂの運転ボタン４０２を押下する。すると、空調システム診断装置１０では、以下の処理が実行される。
（ステップＳ２０２）
シーケンス管理部１０２０は、シーケンス定義情報１０２０ｂを参照して、遷移定義の前状態が“待機”又は“−”（不問）に設定されているシーケンス（１及び４）を抽出する。ここでは、シーケンス１を例に以降の動作を説明する。
【００９２】
（ステップＳ２０３）
作業者分析部１０２１は、機器状態監視部１０１３が受信した空調機３０Ｂからの応答信号（“運転中”）を取得する。
（ステップＳ２０４）
作業者分析部１０２１は、状態分析定義情報１０２１ｂを参照して、“運転中”を示す応答信号に対応する作業状態（“準備完了”）を取得する。また、取得した応答信号の送信元の空調機３０Ｂを作業対象として特定する。シーケンス管理部１０２０は、シーケンス管理情報１０２０ｃにおける作業対象として特定された空調機３０Ｂの機器状態を“対象”に設定する。
【００９３】
（ステップＳ２０５）
シーケンス管理部１０２０は、作業者分析部１０２１により取得された作業状態と、ステップＳ２０２で抽出したシーケンスの遷移条件とが一致するか否かを判定する。ここでは、作業者分析部１０２１により取得された作業状態（“準備完了”）と、シーケンス１の遷移条件とが、一致するため、ステップＳ２０６〜Ｓ２１０の処理が実行される。
（ステップＳ２０６）
シーケンス管理部１０２０は、シーケンス１に定義された制御定義に従って、以下の処理を実行する。なお、本例では、図１５のシーケンス定義情報１０２０ｂには、各シーケンスについて、それぞれ１つずつの制御定義しか定義されていないが、複数の制御定義が定義されている場合には、各制御定義毎に、以下の処理が順に実行されることになる。
【００９４】
（ステップＳ２０７）
シーケンス管理部１０２０は、シーケンス管理情報１０２０ｃを参照して、その機器状態が、シーケンス１の制御定義の機器状態（“対象”）と一致する空調機３０Ｂを抽出する。
（ステップＳ２０８）
空調機制御部１０２２は、運転制御定義情報１０２２ａを参照して、シーケンス１の制御定義の制御状態（“通常出力”）と一致する運転状態に割り当てられた５つの運転制御信号を抽出する。そして、空調機制御部１０２２は、抽出したこれらの運転制御信号を空調機３０Ｂを宛先として制御信号送信部１０１２に送出する。制御信号送信部１０１２はネットワーク２０を介して、これらの運転制御信号を宛先の空調機３０Ｂに送信する。その結果、空調機３０Ｂの運転状態が、“通常出力”となる。
【００９５】
（ステップＳ２０９）
シーケンス管理部１０２０は、シーケンス管理情報１０２０ｃにおける空調機３０Ｂの機器状態を、シーケンス１の管理情報更新定義の更新後状態で示される状態（“実行中”）に更新する。
（ステップＳ２１０）
シーケンス管理部１０２０は、実行シーケンス状態１０２０ａを、シーケンス１の遷移定義の後状態で示される状態（“通常”）に更新する。
【００９６】
作業者は、空調機３０Ｂの運転が開始されたことを確認して、空調機３０Ｂの吹き出し口からの風の温度や風量及び動作音等をチェックする。異常が無ければ、リモコン４０Ｂのモードボタン４０３を押下して、送風モードに設定を変更する。すると、空調システム診断装置１０は、ステップＳ２０２〜Ｓ２１０の処理を実行する。具体的には、モードボタン４０３の操作によって、空調機３０Ｂの運転モードが送風モードに変化したことから、当該作業者の作業状態（“正常確認”）を取得し、遷移条件を満たしたシーケンス２に従った制御処理を実行する。その結果、空調機３０Ｂの運転状態が“最大出力”となる。
【００９７】
作業者は、空調機３０Ｂの動作が変化したことを確認すると、空調機３０Ｂの吹き出し口からの風の温度や風量及び動作音等をチェックする。異常が無ければ、リモコン４０Ｂのモードボタン４０３を押下して、再度、送風モードに設定を変更する。
【００９８】
すると、空調システム診断装置１０は、ステップＳ２０２〜Ｓ２１０の処理を実行する。具体的には、モードボタン４０３の操作によって、空調機３０Ｂの運転モードが送風モードに変化したことから、当該作業者の作業状態（“正常確認”）を取得し、遷移条件を満たしたシーケンス３に従った制御処理を実行する。その結果、空調機３０Ｂの運転状態が“終了”となる。
【００９９】
作業者は、空調機３０Ｂの運転が停止したことを確認すると、空調機３０Ｂの動作確認が完了したと判断する。
【０１００】
以上説明したように、本発明の実施形態２に係る空調システム診断装置によれば、リモコンが、空調機同士のネットワークとは異なるネットワークを介して空調機と通信する空調システムにおいても、空調機の設置状況に合わせた好適な順序・タイミングで空調システムの診断を容易に行うことができ、作業者の負担を軽減することができる等、上記実施形態１に係る空調システム診断装置と同様の効果を奏する。
【０１０１】
なお、本発明は、上記の各実施形態に限定されず、本発明の要旨を逸脱しない範囲での種々の変更は勿論可能である。
【０１０２】
例えば、上記実施形態の空調システム診断装置１０が実行したプログラムを、既存のパーソナルコンピュータ（ＰＣ）や情報端末機器等に適用することで、当該ＰＣ等を本発明に係る空調システム診断装置として機能させることも可能である。
【０１０３】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【産業上の利用可能性】
【０１０４】
本発明は、ビルや工場等に設置される空調システムの診断に好適に採用され得る。
【符号の説明】
【０１０５】
１０  空調システム診断装置
１０１  通信部
１０１１  機器間通信傍受部
１０１２  制御信号送信部
１０１３  機器状態監視部
１０２  試運転管理部
１０２０    シーケンス管理部
１０２０ａ  実行シーケンス状態
１０２０ｂ  シーケンス定義情報
１０２０ｃ  シーケンス管理情報
１０２１    作業者分析部
１０２１ａ  操作分析定義情報
１０２１ｂ  状態分析定義情報
１０２２    空調機制御部
１０２２ａ  運転制御定義情報
１０２３    リモコン制御部
１０２３ａ  表示制御定義情報
２０、５０  ネットワーク
３０（３０Ａ，３０Ｂ）  空調機
４０（４０Ａ，４０Ｂ）  リモコン
４０１  液晶画面
４０２  運転ボタン
４０３  モードボタン
４０４  温度ボタン
４０５  風量ボタン
４０６  風向ボタン
４０７  フィルタ解除ボタン
【図１】
2011141096.tif 000003
【図２】
2011141096.tif 000004
【図３】
2011141096.tif 000005
【図４】
2011141096.tif 000006
【図５】
2011141096.tif 000007
【図６】
2011141096.tif 000008
【図７】
2011141096.tif 000009
【図８】
2011141096.tif 000010
【図９】
2011141096.tif 000011
【図１０】
2011141096.tif 000012
【図１１】
2011141096.tif 000013
【図１２】
2011141096.tif 000014
【図１３】
2011141096.tif 000015
【図１４】
2011141096.tif 000016
【図１５】
2011141096.tif 000017